(57)【要約】【課題】補聴器の試用乃至は利用を決断させるにあたっての心理的な抵抗感を払拭することのできる、新規な補聴器の適合測定装置並びにこれを用いた試用支援方法を開発することを技術課題とした。【解決手段】弾性的に左右の自由端間隔を拡げられるようにした弧状のヘッドバンド２に対し、その各自由端に柔軟なアダプタパッド３を設けてヘッドフォン型に全体を構成するとともに、前記アダプタパッド３に補聴器５を取り付けるようにしたことを特徴として成る。【選択図】図１
2016220085.tif 000002
【特許請求の範囲】
【請求項１】
弾性的に左右の自由端間隔を拡げられるようにした弧状のヘッドバンドに対し、
その各自由端に柔軟なアダプタパッドを設けてヘッドフォン型に全体を構成するとともに、
前記アダプタパッドに補聴器を取り付けるようにしたことを特徴とする補聴器の適合測定装置。
【請求項２】
前記アダプタパッドは、外側と内側とを貫通する導音孔を具え、この導音孔の外側に補聴器のスピーカを保持するようにしたことを特徴とする請求項１記載の補聴器の適合測定装置。
【請求項３】
前記アダプタパッドは、パッド本体と、これと別体の接続ブラケットとを具えて構成され、
この接続ブラケットに対し、スピーカホルダを保持するための嵌込孔を内外貫通状態に形成するとともに、
ここに嵌め込まれるスピーカホルダは、柔軟な素材で形成され、外側にスピーカのホルダパッドを有するとともに、前記嵌込孔に挿入される導音チューブを内側に向かって延長形成したものであることを特徴とする請求項１または２記載の補聴器の適合測定装置。
【請求項４】
前記アダプタパッドは、外側に耳の一部を模した係止部を形成し、
ここに耳掛けタイプの補聴器における本体部を係止するようにしたことを特徴とする請求項１、２または３記載の補聴器の適合測定装置。
【請求項５】
前記請求項１、２、３または４記載の補聴器の適合測定装置を用い、補聴器の利用助言を行うにあたり、利用者毎に適合する補聴器の選択を行い易いように支援する方法であって、
前記補聴器の適合測定装置を予め複数基用意し、
各補聴器の適合測定装置に装着されている補聴器は、それぞれ聴力感度を異ならせ、
利用者は補聴器の適合測定装置を、ヘッドフォンを着用する要領で順次試用し、適合した補聴器を選び出すようにしたことを特徴とする補聴器の適合測定装置を用いた試用支援方法。
【発明の詳細な説明】
【技術分野】
【０００１】
本発明は、補聴器を使用開始するにあたり、装着への抵抗感を解消することのできる補聴器の適合測定装置並びにこれを用いた使用支援方法に関するものである。
【背景技術】
【０００２】
加齢に伴う聴力の衰えを補うものとして、補聴器が用いられている。この補聴器の使用にあたっては、視力低下を補う眼鏡の装着に比べ、心理的な抵抗感もあって、本来装着により日常生活の質的向上を図り得る人であっても現状を甘受し、未利用となっている場合も少なくない。
その大きな理由としては、第一に、聴力低下が徐々に進行することから、その間に日常生活での聞こえにくさに対する慣れが生じ、積極的に利用することの決断がされないことが挙げられる。
第二に、補聴器の利用を開始しようとして、販売店舗での助言を求めた場合でも、試用する補聴器の形状と利用者毎に個々に異なる耳穴の形状とが合わないことも多く、このようなときにはスピーカからの音声が漏れてしまったりして、充分な性能、機能を体感できず、補聴器そのものに対して否定的な印象を持ってしまうことが挙げられる。
【０００３】
更にこのように試用に供される補聴器は不特定多数の来店者に対し、直接着用されるものであり、その都度、表面の清拭がされているとはいえ、利用者によっては不快に感ずる向きもある。
そして補聴器を選ぶ場合で最も煩わしく感ずることは、耳掛けタイプ（例えば特許文献１参照）に多く見られるが、補聴器を装着すること自体が不慣れなため、手間取ってしまうことが挙げられる。
このように補聴器利用の必要性が生じたとしても、積極的な利用がためらわれ、また購入の意向を持って店舗に赴いたとしても、購入の動機付けを妨げるような状況が多くあり、眼鏡の購入に比べ、その購入の決断の阻害要因が多く存在する。
【先行技術文献】
【特許文献】
【０００４】
【特許文献１】特開２０１３−１１５８００公報
【発明の概要】
【発明が解決しようとする課題】
【０００５】
本発明はこのような状況を考慮して成されたものであって、補聴器の試用乃至は利用を決断させるにあたっての心理的な抵抗感を払拭することのできる、新規な補聴器の適合測定装置並びにこれを用いたビジネスモデルとも解される試用支援方法を開発することを技術課題とした。
【課題を解決するための手段】
【０００６】
まず請求項１記載の補聴器の適合測定装置は、弾性的に左右の自由端間隔を拡げられるようにした弧状のヘッドバンドに対し、その各自由端に柔軟なアダプタパッドを設けてヘッドフォン型に全体を構成するとともに、前記アダプタパッドに補聴器を取り付けるようにしたことを特徴として成るものである。
【０００７】
また請求項２記載の補聴器の適合測定装置は、前記要件に加え、前記アダプタパッドは、外側と内側とを貫通する導音孔を具え、この導音孔の外側に補聴器のスピーカを保持するようにしたことを特徴として成るものである。
【０００８】
更にまた請求項３記載の補聴器の適合測定装置は、前記要件に加え、前記アダプタパッドは、パッド本体と、これと別体の接続ブラケットとを具えて構成され、この接続ブラケットに対し、スピーカホルダを保持するための嵌込孔を内外貫通状態に形成するとともに、ここに嵌め込まれるスピーカホルダは、柔軟な素材で形成され、外側にスピーカのホルダパッドを有するとともに、前記嵌込孔に挿入される導音チューブを内側に向かって延長形成したものであることを特徴として成るものである。
【０００９】
更にまた請求項４記載の補聴器の適合測定装置は、前記要件に加え、前記アダプタパッドは、外側に耳の一部を模した係止部を形成し、ここに耳掛けタイプの補聴器における本体部を係止するようにしたことを特徴として成るものである。
【００１０】
また請求項５記載の補聴器の適合測定装置を用いた試用支援方法は、前記請求項１、２、３または４記載の補聴器の適合測定装置を用い、補聴器の利用助言を行うにあたり、利用者毎に適合する補聴器の選択を行い易いように支援する方法であって、前記補聴器の適合測定装置を予め複数基用意し、各補聴器の適合測定装置に装着されている補聴器は、それぞれ聴力感度を異ならせ、利用者は補聴器の適合測定装置を、ヘッドフォンを着用する要領で順次試用し、適合した補聴器を選び出すようにしたことを特徴として成るものである。
そしてこれら各請求項記載の構成を手段として前記課題の解決が図られる。
【発明の効果】
【００１１】
まず請求項１または５記載の発明によれば、補聴器の適合測定装置がヘッドフォン型に構成されているから、利用者による装着、試用が行い易く、結果的に補聴器の利用促進に資するものである。
【００１２】
また請求項２または５記載の発明によれば、導音孔からのスピーカ音を正確に聞き取ることができる。
【００１３】
更に請求項３または５記載の発明によれば、スピーカホルダを別体構成するものであり、補聴器の形状により適合させることが可能となる。
【００１４】
更にまた請求項４または５記載の発明によれば、耳掛けタイプの補聴器を試用する際に、そのセットを係止部を利用して確実に行うことができる。
【図面の簡単な説明】
【００１５】
【図１】本発明の適合測定装置の使用状態を示す斜視図並びにアダプタパッド周辺の分解斜視図である。
【図２】耳掛け型の補聴器を示す斜視図（ａ）、（ｂ）並びに一体型の補聴器を示す斜視図（ｃ）である。
【図３】パッド本体を外側から見た斜視図（ａ）並びに内側から見た斜視図（ｂ）である。
【図４】接続ブラケットを示す平面図（ａ）、斜視図（ｂ）並びに一体型の補聴器が接続ブラケットに組み付けられている様子を示す斜視図（ｃ）である。
【図５】スピーカホルダを示す斜視図である。
【図６】耳掛け型の補聴器がアダプタパッドに組み付けられるとともに、導音チューブが使用者の外耳道内に進入した形態を示す断面図（ａ）及び導音チューブが使用者の外耳道内に進入していない形態を示す断面図（ｂ）並びに一体型の補聴器がアダプタパッドに組み付けられるとともに、導音チューブが使用者の外耳道内に進入した形態を示す断面図（ｃ）及び導音チューブが使用者の外耳道内に進入していない形態を示す断面図（ｄ）である。
【発明を実施するための形態】
【００１６】
本発明を実施するための形態は、以下述べる実施例をその一つとするものであるとともに、この技術思想に基づく種々の改良した実施例も含むものである。
【実施例】
【００１７】
以下本発明を図１〜６に示す基本となる構成に基づいて具体的に説明する。
図中符号１で示すものが本発明の補聴器の適合測定装置（以下、適合測定装置１と略記する）であって、このものは弾性的に左右の自由端間隔を広げられるようにした弧状のヘッドバンド２に対し、その各自由端に柔軟なアダプタパッド３を設けてヘッドフォン型に全体を構成するとともに、このアダプタパッド３に補聴器５を取り付けるようにしたものである。
なお本願において、左右、内外、前後とは、適合測定装置１を装着した状態の利用者から見た方向を意味するものとする。
【００１８】
先ず適合測定装置１の詳細な説明に先立ち、補聴器５について概略を説明する。
補聴器５は図２に示すように、いわゆる耳掛け型の補聴器５Ａと、一体型の補聴器５Ｂとの二つのタイプが代表的なものである。
耳掛け型の補聴器５Ａは図２（ａ）、（ｂ）に示すように、スピーカ５１と本体部５２とが別体で構成され、スピーカ５１を利用者の外耳道内に位置するように装着し、本体部５２は耳介の裏側等に位置するものである。そして前記本体部５２側にマイクロフォン、電池、ボリュームコントローラ等が内臓され、操作スイッチが表面に形成されている。
また本体部５２とスピーカ５１とを結ぶ配線は、適宜樹脂によってコーティングされて所定の形状を維持することができるようにされ、この部位が耳掛部５３として機能する。
【００１９】
次に一体型の補聴器５Ｂは、全体を利用者の耳穴に装着するものであり、図２（ｃ）に示すように一体の本体部５２内にスピーカ５１をはじめとする各種機能部材が収められている。具体的には、図示は省略するが、マイクロフォン、電池、ボリュームコントローラ等が内臓され、操作スイッチが表面に形成されている。
また前記スピーカ５１は、外耳道内に位置する部位に埋め込まれた状態とされるが、スピーカ５１自体は耳掛け型の補聴器５Ａと同様に短寸のスティック状の形状が採られることが多い。
【００２０】
因みに前記耳掛け型の補聴器５Ａにしろ、一体型の補聴器５Ｂにしろ、いずれにせよ外耳道内に位置する部位の形状は、個々の利用者の外耳道形状にしたがって、その外形形状を異ならせる、いわば注文製作的な供給形態が採られている。
すなわち耳掛け型の補聴器５Ａの場合、図２（ａ）に示すようにスピーカ５１には、装着者の外耳道から型取りして形成されたイヤーチップ５１ａが装着されるものであり、このものが外耳道と密接して音漏れや外来ノイズの混入を防止することが可能とされる。
なお図２（ｂ）に示すようにイヤーチップ５１ａをシリコンゴム等の柔軟な素材によって形成する場合には、使用者の外耳道から型取りすることなくイヤホン様の汎用品とした場合でも、このものが変形して外耳道と密接して音漏れや外来ノイズの混入を防止することが可能となる。
なお前記耳掛部５３の最適形状も利用者毎に異なるものであり、その形状についても装着者の耳介に合わせてものとしてもよい。
【００２１】
また一体型の補聴器５Ｂの場合、スピーカ５１周辺のボディは、外耳道に挿入状態とされるものであり、この部位を装着者の外耳道から型取りして形成することにより、このものが外耳道と密接して音漏れや外来ノイズの混入を防止することが可能となる。
【００２２】
次いで本発明の適合測定装置１について詳しく説明する。
まず前記ヘッドバンド２は図１に示すように、弧状に湾曲して弾性的に左右の自由端間隔を広げられるようにしたバンド本体２１に対し、その自由端にハンガーホルダ２２が固定される。このハンガーホルダ２２は、アダプタパッド３を支持するハンガー２３を保持するものである。
またこのハンガー２３は、図示のようにロッド部２３ａと、その下端に二股状の回動支持部２３ｂとを具えており、前記ロッド部２３ａが、ハンガーホルダ２２における嵌込スリット２２ａに差し込まれるようにして保持される。なおロッド部２３ａは、適宜の長さを有するものであり、その嵌込位置により、利用者毎にアダプタパッド３の最適な位置を選べるように構成している。
【００２３】
次に前記アダプタパッド３は図３に示すように、パッド本体３０と、これに一体的に組み込まれる別部材の接続ブラケット３１と、この接続ブラケット３１を利用して取り付けられるスピーカホルダ３２との三部材で構成される。
まずパッド本体３０は、柔軟な合成ゴム等の素材で形成したものであって、内側中央部に耳あて凹部３０ａが凹陥するように形成され、更にその外側に遮音フランジ３０ｂが形成される。更に耳あて凹部３０ａの中央には、外側から内側に貫通する接続ブラケット嵌込孔３０ｃを形成している。
また耳あて凹部３０ａの外側には耳の一部の形状を模した係止部３０ｄを突出形成し、ここに耳掛けタイプの補聴器５Ｂにおける耳掛部５３を係止することができるように構成している。
【００２４】
また前記接続ブラケット３１は図４に示すように、比較的硬質の樹脂素材等により構成されるものであり、その外側にハンガー受部３１ａを前後一対、ブラケット状に張り出すように形成する。このハンガー受部３１ａは前記ヘッドバンド２におけるハンガー２３の回動支持部２３ｂと回動自在に接続される。
更に接続ブラケット３１は、その中央部に、概ねすり鉢状（外広がりテーパー状）の凹陥部である嵌込孔３１ｂを形成し、嵌込孔３１ｂの底部から更に内側に貫通するように導音チューブ挿入孔３１ｃが形成される。
【００２５】
次に接続ブラケット３１に取り付けられるスピーカホルダ３２について説明する。このスピーカホルダ３２は一例としてシリコンゴム等の柔軟素材によって形成されるものであり、図５に示すようにスピーカ５１を差し込み固定するホルダパッド３２ａを外側に具え、その中心には保持孔３２ｂが形成されている。またホルダパッド３２ａの内側に一例として椀状の係止フランジ３２ｃが設けられ、更に係止フランジ３２ｃから内側に導音チューブ３２ｄが延びる。この導音チューブ３２ｄ内の導音孔３２ｅは前記保持孔３２ｂと連通し、内側に向かって貫通状態となっている。
このようなスピーカホルダ３２は、耳掛け型の補聴器５Ａを適用する場合に用いられるものであり、ホルダパッド３２ａ自体が変形するため、例えばスピーカ５１の形状が異なる場合であっても、ある程度の範囲であれば単一のホルダパッド３２ａによって対応することができる。更にはスピーカホルダ３２と接続ブラケット３１とを別体構成するものであるため、スピーカ５１の形状が大きく異なる場合であっても、適合したスピーカホルダ３２を用意することにより、アダプタパッド３を構成するパッド本体３０、接続ブラケット３１を共用することが可能となる。このため例えば異なるメーカの補聴器５Ａであっても、接続ブラケット３１への装着が可能となる。
【００２６】
そして接続ブラケット３１にスピーカホルダ３２を取り付けるものであり、導音チューブ挿入孔３１ｃに対して導音チューブ３２ｄを挿入し、その先端が内側に突出した状態とする。このような形態が採られることにより、利用者が適合測定装置１を装着した状態で、パッド本体３０が耳介全体を覆うとともに、図６（ａ）に示すように、導音チューブ３２ｄの先端が利用者の外耳道内に進入した状態となる。
なお接続ブラケット３１にスピーカホルダ３２を取り付ける際には、嵌込孔３１ｂが概ねすり鉢状（外広がりテーパー状）の凹陥部として形成されているため、嵌込孔３１ｂに挿入される導音チューブ３２ｄの先端は自然に導音チューブ挿入孔３１ｃに導かれることとなり、組み付けを容易に行うことができる。
なおこのような外耳道内への導音チューブ３２ｄの進入を好まない利用者向けに、図６（ｂ）に示すように、導音チューブ３２ｄを導音チューブ挿入孔３１ｃから内側に突出させない形態も取り得る。
【００２７】
一方、一体型の補聴器５Ｂを適用する場合には、図４（ｃ）に示すように前記接続ブラケット３１の嵌込孔３１ｂに対し、本体部５２のスピーカ５１周辺が嵌め込まれるものであり、嵌込孔３１ｂ内に柔軟なゴム素材等を設けることによりホルダパッド３２ａを形成し、このホルダパッド３２ａが接続ブラケット３１と一体に形成されるようにしたものである。このような構成が採られることにより、本体部５２の形状、大きさが異なる場合であっても、ある程度の範囲であればホルダパッド３２ａの変形によって許容されることとなり、大多数の補聴器５Ｂを接続ブラケット３１へ装着することが可能となる。
またこの場合図６（ｃ）に示すように、導音チューブ挿入孔３１ｃに対して導音チューブ３２ｄを設けるとともに、その先端が利用者の外耳道内に進入するような形態が採られる。
なお図６（ｄ）に示すように、導音チューブ３２ｄを設けることなく、導音チューブ挿入孔３１ｃに導音孔３２ｅと同様の機能を担わせるような使用形態も取り得る。
【００２８】
本発明の適合測定装置１は一例として上述のように構成されるものであり、次の様にして補聴器５の試用支援に用いられる。
まず適合測定装置１は、例えば補聴器５の販売店舗等において、利用者たる客に対し、適切な補聴器５が選択できるように、例えば聴力の度合いに応じた感度や周波数特性を有するものをそれぞれ三種類ほど、別々の適合測定装置１として用意しておくことが好ましい。
具体的には耳掛け型の補聴器５Ａの場合、図１に示すように補聴器５Ａの本体部５２を、係止部３０ｄを利用してパッド本体３０に取り付けるとともに、イヤーチップ５１ａが取り外されたスピーカ５１を、スピーカホルダ３２の保持孔３２ｂに差し込むようにして取り付ける。
なお本発明の適合測定装置１は、いわばヘッドフォン型の形態を採るから、左右それぞれのアダプタパッド３に対して取り付ける補聴器５は、同じ感度のものでもよいし、異なる感度のものであってもよく、更には異なる形式や異なるメーカーのものであってもよい。
【００２９】
このようにした状態で適合測定装置１は試用に供されるものであり、利用者は、ヘッドフォンを装着する要領で比較的簡易に補聴器５のスピーカ５１を装着状態とすることができ、聞こえ具合を確認することができる。このため利用者は、補聴器５を直接装着する場合に比べ、はるかに装着に対する抵抗感が無く、しかも何種類かを容易に変えて試すことができる。
一方、販売店側は利用者による聞こえ具合から、最適な補聴器５の利用助言を行うことができ、利用者毎に異なる聞こえにくさに応じた補聴器５の選択が円滑に行われることとなる。
この際、利用者の外耳道は遮音フランジ３０ｂによって外部と遮断されており、更に導音チューブ３２ｄが利用者の外耳道内に進入した状態となるため、補聴器５Ａのスピーカ５１が外耳道に挿入された状態とほぼ同様の状態が再現されており、補聴器５Ａの選択にあたっての判断が、極めて正確に行われることとなる。
【００３０】
一方、一体型の補聴器５Ｂを用いる場合、嵌込孔３１ｂ内に一体的に設けられたスピーカホルダ３２の柔軟性を利用して、一体型の補聴器５Ｂを嵌め込むようにして、用いるものである。
この場合であっても、利用者の外耳道は遮音フランジ３０ｂによって外部と遮断されており、更に導音チューブ３２ｄが利用者の外耳道内に進入した状態となるため、補聴器５Ｂのスピーカ５１が外耳道に挿入された状態とほぼ同様の状態が再現されており、補聴器５Ｂの選択にあたっての判断が、正確に行われることとなる。
【００３１】
〔他の実施例〕
本発明は上述した実施例を基本となる実施例とするものであるが、本発明の技術思想に基づいて以下に示す様な実施例を採ることもできる。
まず上述した基本となる実施例では、アダプタパッド３は、パッド本体３０と、接続ブラケット３１と、スピーカホルダ３２とをそれぞれ別体部材で構成しているが、これらは必ずしも別体部材とする必要はない。具体的には、パッド本体３０に対し、適宜の構造でハンガー２３を取り付けることができれば接続ブラケット３１は不要であるし、更にスピーカホルダ３２もパッド本体３０の形状いかんで用いなくてもよい。
【符号の説明】
【００３２】
１      （補聴器の）適合測定装置
２      ヘッドバンド
２１    バンド本体
２２    ハンガーホルダ
２２ａ  嵌込スリット
２３    ハンガー
２３ａ  ロッド部
２３ｂ  回動支持部
３      アダプタパッド
３０    パッド本体
３０ａ  耳あて凹部
３０ｂ  遮音フランジ
３０ｃ  接続ブラケット嵌込孔
３０ｄ  係止部
３１    接続ブラケット
３１ａ  ハンガー受部
３１ｂ  嵌込孔
３１ｃ  導音チューブ挿入孔
３２    スピーカホルダ
３２ａ  ホルダパッド
３２ｂ  保持孔
３２ｃ  係止フランジ
３２ｄ  導音チューブ
３２ｅ  導音孔
５      補聴器
５Ａ    補聴器（耳掛型）
５Ｂ    補聴器（一体型）
５１    スピーカ
５１ａ  イヤーチップ
５２    本体部
５３    耳掛部
【図１】
2016220085.tif 000003
【図２】
2016220085.tif 000004
【図３】
2016220085.tif 000005
【図４】
2016220085.tif 000006
【図５】
2016220085.tif 000007
【図６】
2016220085.tif 000008